(57)【要約】【課題】部品点数を減少させ、製造コストを抑えるとともに、インキ充填時のインキの飛び散りを防止できる直液タイプの両頭式筆記具を提供する。【解決手段】両端が開口する軸筒２の内部に隔壁３を一体に形成する。軸筒２内部に、軸筒２の一端より開口する第１のインキタンク５Ａと、軸筒２の他端より開口する第２のインキタンク５Ｂとを設ける。第１のインキタンク５Ａの開口部に、第１のペン先４Ａと接続される第１のインキ保溜部材６Ａを設ける。第１のインキ保溜部材６Ａの後方に第１のインキ貯溜部７Ａを設ける。第２のインキタンク５Ｂの開口部に、第２のペン先４Ｂと接続される第２のインキ保溜部材６Ｂを設ける。第２のインキ保溜部材６Ｂの後方に第２のインキ貯溜部７Ｂを設ける。隔壁３の第１のインキ貯溜部７Ａ側の内面及び隔壁３の第２のインキ貯溜部７Ｂ側の内面に、軸線に対して傾斜する傾斜面３２１を設ける。【選択図】  図１
2005178049.tif 000002
【特許請求の範囲】
【請求項１】
両端が開口する軸筒の内部に隔壁を一体に形成し、前記軸筒の内部に、前記軸筒の一端より開口する第１のインキタンクと、前記軸筒の他端より開口する第２のインキタンクとを設け、前記第１のインキタンクと前記第２のインキタンクとを互いに連通しない構成とし、  前記第１のインキタンクの開口部に、第１のペン先と接続される第１のインキ保溜部材を設け、前記第１のインキ保溜部材の後方の第１のインキタンク内に第１のインキ貯溜部を設け、前記第１のインキ保溜部材が、前記第１のインキ貯溜部内の圧力上昇に応じた溢出インキを一時的に保持し、
前記第２のインキタンクの開口部に、第２のペン先と接続される第２のインキ保溜部材を設け、前記第２のインキ保溜部材の後方の第２のインキタンク内に第２のインキ貯溜部を設け、前記第２のインキ保溜部材が、前記第２のインキ貯溜部内の圧力上昇に応じた溢出インキを一時的に保持してなり、
前記隔壁の第１のインキ貯溜部側の内面及び前記隔壁の第２のインキ貯溜部側の内面に、軸線に対して傾斜する傾斜面を設けたことを特徴とする両頭式筆記具。
【請求項２】
前記隔壁の一端が、第１のインキ保溜部材近傍の軸筒側壁に接続され、且つ、前記隔壁の他端が、第２のインキ保溜部材近傍の軸筒側壁に接続されてなる請求項１記載の両頭式筆記具。
【請求項３】
前記隔壁が、軸線方向に延びる中央壁部と、該中央壁部の両端に接続され且つ軸筒側壁に接続される傾斜壁部とからなる請求項１または２記載の両頭式筆記具。
【請求項４】
前記第１のインキタンクの開口側から隔壁を見た場合及び前記第２のインキタンクの開口側から隔壁を見た場合のいずれの場合も、隔壁の略全領域に傾斜面が視認される請求項１、２または３記載の両頭式筆記具。
【発明の詳細な説明】
【技術分野】
【０００１】
本発明は、軸筒の両端にペン先を備えた直液タイプの両頭式筆記具に関する。尚、本発明において、「前」とは、第１のインキタンクにおいて第１のペン先側を指し、第２のインタンクにおいて第２のペン先側を指し、「後」とは、第１のインキタンクにおいて第１のインキ貯溜部側を指し、第２のインタンクにおいて第２のインキ貯溜部側を指す。
【背景技術】
【０００２】
従来、この種の両頭式筆記具に関して、例えば特許文献１には、ペン先とペン先ホルダとインキタンクを固定した直液構造のペン先ユニットを筒軸両端側に着脱自在に取付けた筆記具が開示されている。
【０００３】
【特許文献１】特開２００２−３６７８６号公報
【発明の開示】
【発明が解決しようとする課題】
【０００４】
前記特許文献１の筆記具は、二つのペン先ユニットを、筒軸を介在させて連結する構造である。そのため、別部品の筒軸が必要となり、部品点数が増加して、製造コストが上昇し、安価に提供することが困難である。
【０００５】
また、前記特許文献１の筆記具は、インキタンクのインキ収納部の底面が軸線に対して垂直面となっている。そのため、インキタンクのインキ収納部にインキを充填する際、充填ノズルからのインキがインキ収納部の底面に衝突し、その衝突による跳ね返ったインキが外部に飛び散るおそれがある。特に、両頭式筆記具の場合、インキタンクの開口部から底面までの軸線方向の長さが比較的短く設定されているため、前記インキの飛び散りが生じやすい。
【０００６】
本発明は前記従来の問題点を解決するものであって、部品点数を減少させ、製造コストを抑えるとともに、インキ充填時のインキの飛び散りを十分に回避できる直液タイプの両頭式筆記具を提供しようとするものである。
【課題を解決するための手段】
【０００７】
〔１〕本発明の両頭式筆記具１は、両端が開口する軸筒２の内部に隔壁３を一体に形成し、前記軸筒２の内部に、前記軸筒２の一端より開口する第１のインキタンク５Ａと、前記軸筒２の他端より開口する第２のインキタンク５Ｂとを設け、前記第１のインキタンク５Ａと前記第２のインキタンク５Ｂとを互いに連通しない構成とし、前記第１のインキタンク５Ａの開口部に、第１のペン先４Ａと接続される第１のインキ保溜部材６Ａを設け、前記第１のインキ保溜部材６Ａの後方の第１のインキタンク５Ａ内に第１のインキ貯溜部７Ａを設け、前記第１のインキ保溜部材６Ａが、前記第１のインキ貯溜部７Ａ内の圧力上昇に応じた溢出インキを一時的に保持し、前記第２のインキタンク５Ｂの開口部に、第２のペン先４Ｂと接続される第２のインキ保溜部材６Ｂを設け、前記第２のインキ保溜部材６Ｂの後方の第２のインキタンク５Ｂ内に第２のインキ貯溜部７Ｂを設け、前記第２のインキ保溜部材６Ｂが、前記第２のインキ貯溜部７Ｂ内の圧力上昇に応じた溢出インキを一時的に保持してなり、前記隔壁３の第１のインキ貯溜部７Ａ側の内面及び前記隔壁３の第２のインキ貯溜部７Ｂ側の内面に、軸線に対して傾斜する傾斜面３２１を設けたこと（請求項１）を要件とする。
【０００８】
前記請求項１の両頭式筆記具１は、両端が開口する軸筒２の内部に隔壁３を一体に形成し、軸筒２に直接、第１のインキタンク５Ａと第２のインキタンク５Ｂとを形成したことにより、部品点数が減少し、製造コストを安価に抑えることができる。また、前記軸線に対して傾斜する傾斜面３２１（すなわち軸線に対して垂直でない面）を隔壁３の内面に設けたことにより、インキ充填時、インキが隔壁３に衝突しても、第１のインキタンク５Ａの開口部及び第２のインキタンク５Ｂの開口部からインキが飛び散ることを抑えることができる。
【０００９】
〔２〕前記請求項１記載の両頭式筆記具において、前記隔壁３の一端が、第１のインキ保溜部材６Ａ近傍の軸筒２側壁に接続され、且つ、前記隔壁３の他端が、第２のインキ保溜部材６Ｂ近傍の軸筒側壁に接続されてなること（請求項２）が好ましい。それにより、第１のインキタンク５Ａの軸線方向の長さ及び第２のインキタンク５Ｂの軸線方向の長さを、比較的長く設定することができ、インキ充填時のインキの飛び散りをより一層防止できる。
【００１０】
〔３〕前記請求項１または２記載の両頭式筆記具１において、前記隔壁が、軸線方向に延びる中央壁部３１と、該中央壁部３１の両端に接続され且つ軸筒２側壁に接続される傾斜壁部３２とからなること（請求項３）が好ましい。それにより、第１のインキタンク５Ａの軸線方向の長さ及び第２のインキタンク５Ｂの軸線方向の長さを、比較的長く設定することができ、インキ充填時のインキの飛び散りをより一層防止できる。
【００１１】
〔４〕前記請求項１、２または３記載の両頭式筆記具１において、
前記第１のインキタンク５Ａの開口側から隔壁３を見た場合及び前記第２のインキタンク５Ｂの開口側から隔壁３を見た場合のいずれの場合も、隔壁３の略全領域に傾斜面３２１が視認されること（請求項３）が好ましい。それにより、隔壁３に、軸線に対して垂直な面が存在しないため、インキ充填時のインキの飛び散りをより一層防止できる。
【発明の効果】
【００１２】
請求項１により、部品点数を減少させ、製造コストを抑えるとともに、インキ充填時のインキの飛び散りを防止できる。
【００１３】
請求項２により、インキ充填時のインキの飛び散りをより一層防止できる。
【００１４】
請求項３により、インキ充填時のインキの飛び散りをより一層防止できる。
【００１５】
請求項４により、インキ充填時のインキの飛び散りをより一層防止できる。
【発明を実施するための最良の形態】
【００１６】
本発明を実施するための最良の形態を説明する。
・軸筒
本実施の形態の両頭式筆記具１の軸筒２は、透明または半透明の合成樹脂（例えばポリプロピレン）の射出成形により得られる円筒体である。前記軸筒２は、両端が開口されるとともに、内部に隔壁３が形成され、この隔壁３により軸筒２内部が前後に分けられる。それにより、前記軸筒２の内部には、軸筒２の一端より開口する第１のインキタンク５Ａと軸筒２の他端より開口する第２のインキタンク５Ｂとが形成される。尚、前記第１のインキタンク５Ａと第２のインキタンク５Ｂとの間は隔壁３によって遮断され、互いにインキが流通しない構造である。
【００１７】
・インキタンク
前記第１のインキタンク５Ａの開口部の内面には、第１のインキ保溜部材６Ａが嵌入される。前記第１のインキ保溜部材６Ａの後方の第１のインキタンク５Ａ内には、第１のインキ貯溜部７Ａが形成される。同様に、前記第２のインキタンク５Ｂの開口部の内面には、第２のインキ保溜部材６Ｂが嵌入される。前記第２のインキ保溜部材６Ｂの後方の第２のインキタンク５Ｂ内には、第２のインキ貯溜部７Ｂが形成される。
【００１８】
・インキ保溜部材
前記第１のインキ保溜部材６Ａは、前記第１のインキ貯溜部７Ａ内の圧力上昇に応じた溢出インキを一時的に保持するためのものであり、複数の櫛歯を備えた合成樹脂（例えばＡＢＳ樹脂）製部材からなる。前記第１のインキ保溜部材６Ａの軸心孔には第１のペン先４Ａと第１のインキ貯溜部７Ａとの間を接続するインキ誘導芯６１Ａが挿着される。前記第２のインキ保溜部材６Ｂは、前記第２のインキ貯溜部７Ｂ内の圧力上昇に応じた溢出インキを一時的に保持するためのものであり、複数の櫛歯を備えた合成樹脂（例えばＡＢＳ樹脂）製部材からなる。前記第２のインキ保溜部材６Ｂの軸心孔には第２のペン先４Ｂと第２のインキ貯溜部７Ｂとの間を接続するインキ誘導芯６１Ｂが挿着される。第１のインキ保溜部材６Ａは、第１のインキ貯溜部７Ａ内の第１のインキと略同色に着色されている。第２のインキ保溜部材６Ｂは、第２のインキ貯溜部７Ｂ内の第２のインキと略同色に着色されている。それにより、軸筒２（第１のインキタンク５Ａ、第２のインキタンク５Ｂ）が透明または半透明であることから、ペン先のインキ色を確認できる。
【００１９】
・隔壁
前記隔壁３は、その一端が第１のインキ保溜部材６Ａ近傍の軸筒２側壁に接続され、且つ、その他端が第２のインキ保溜部材６Ｂ近傍の軸筒側壁に接続され、全体に軸線方向に延びる形状を有する。前記隔壁３の第１のインキ貯溜部７Ａ側の内面に、軸線に対して傾斜する傾斜面３２１が形成される。同様に、前記隔壁３の第２のインキ貯溜部７Ｂ側の内面に、軸線に対して傾斜する傾斜面３２１が形成される。前記第１のインキタンク５Ａの開口側から隔壁３を見た場合及び前記第２のインキタンク５Ｂの開口側から隔壁３を見た場合のいずれの場合も、隔壁３の略全領域に傾斜面３２１が視認されることが好ましいが、隔壁３の全領域の一部に傾斜面３２１が視認される構成でもよい。前記隔壁３は、略均一肉厚を有し、少なくとも、隔壁３の一部または隔壁３の全体に、軸線に対して傾斜する傾斜壁部３２を備えることが好ましい。前記傾斜壁部３２は、軸線に対して傾斜する傾斜面３２１を両面（即ち、傾斜壁部３２の第１のインキ貯溜部７Ａ側の内面及び傾斜壁部３２の第２のインキ貯溜部７Ｂ側の内面）に備える。前記傾斜壁部３２の傾斜面３２１は、例えば、平面、円錐面、凸曲面、または凹曲面からなる。前記傾斜壁部３２は、隔壁３の両端に形成することが傾斜面３２１を増加させる点で好ましい。前記第１のインキ保溜部材６Ａ側の傾斜壁部３２と、前記第２のインキ保溜部材側６Ｂの傾斜壁部３２とは、同一の傾斜方向を有するよう（好ましくは軸線に対して同一の傾斜角度を有するよう）設定される。
【００２０】
・インキ
前記第１のインキ貯溜部７Ａには、第１のインキが貯溜され、第２のインキ貯溜部７Ｂには、第２のインキが貯溜される。前記第１のインキと第２のインキとは、互いに色が異なる組合せが採用される。前記第１のインキ貯溜部７Ａの第１のインキ及び第２のインキ貯溜部７Ｂの第２のインキは、軸筒２が透明材料または半透明材料よりなることから、外部より視認可能である。本実施の形態では、第１のインキ及び第２のインキは、蛍光顔料または蛍光染料を含むインキが採用される。それにより、発色の優れた、見栄えのよい両頭式筆記具１が得られる。前記第１のインキと第２のインキの色の組合せは、例えば、蛍光イエローと蛍光ピンクの組合せ、蛍光イエローと蛍光オレンジの組合せ、蛍光イエローと蛍光グリーンの組合せ、蛍光ピンクと蛍光オレンジの組合せ、蛍光ピンクと蛍光グリーンの組合せ、蛍光イエローと蛍光ブルーの組合せ、または蛍光イエローと蛍光バイオレットの組合せ等が、配色の見栄えの良い点から好ましい。本実施の形態では、隔壁３が傾斜壁部３２を備える構成により、前記第１のインキ及び第２のインキは径方向に２層に重層された状態で視認される。
【００２１】
・ペン先
前記第１のペン先４Ａ及び第２のペン先４Ｂは、繊維の樹脂加工体（例えばポリエステル繊維の樹脂加工体）であるが、これ以外にも、前記ペン先は、毛筆体、多孔質体、ボールペンチップ、万年筆状の金属板製チップ、合成樹脂押出成形よりなるプラスチックペン体等、いずれであってもよい。
【実施例１】
【００２２】
図１及び図２に、本発明の実施例１を示す。本実施例の両頭式筆記具１は、前記実施の形態に記載の構成において、隔壁３が、略均一肉厚を有し、軸線方向に延びる中央壁部３１と、該中央壁部３１の両端より延び且つ軸筒２側壁に接続される二つの傾斜壁部３２とからなることを特徴とする。
【００２３】
・隔壁
前記二つの傾斜壁部３２は同一方向に傾斜してなり、前記二つの傾斜壁部３２の両面（即ち、第１のインキ貯溜部７Ａ側の内面及び第２のインキ貯溜部７Ｂ側の内面）には、傾斜面３２１が形成される。前記傾斜壁部３２の傾斜面３２１は、平面または円錐面からなる。前記中央壁部３１は、軸筒２内部の中央に形成され、軸筒２内部を２等分する。前記軸線方向に延びる中央壁部３１は、軸線に対して平行に形成されてもよいし、軸線に対して傾斜してもよい。
【００２４】
・インキタンク
前記第１のインキタンク５Ａは、前方に開口する横断面円形状の大径部５１Ａと、該大径部５１Ａより後方に連設される横断面半円形状の小径部５２Ａとからなる。前記第１のインキタンク５Ａの大径部５１Ａ内には、第１のインキ保溜部材６Ａが嵌入される。前記第１のインキ保溜部材６Ａの後方の、第１のインキタンク５Ａの大径部５１Ａの後部と第１のインキタンク５Ａの小径部５２Ａとからなる空間には、第１のインキ貯溜部７Ａが形成される。同様に、前記第２のインキタンク５Ｂは、前方に開口する横断面円形状の大径部５１Ｂと、該大径部５１Ｂより後方に連設される横断面半円形状の小径部５２Ｂとからなる。前記第２のインキタンク５Ｂの大径部５１Ｂ内には、第２のインキ保溜部材６Ｂが嵌入される。前記第２のインキ保溜部材６Ｂの後方の、第２のインキタンク５Ｂの大径部５１Ｂの後部と第２のインキタンク５Ｂの小径部５２Ｂとからなる空間には、第２のインキ貯溜部７Ｂが形成される。
【００２５】
・傾斜面の視認
図２（ａ）に示すように、第１のインキタンク５Ａの開口側から隔壁３を見た場合、前記第１のインキ貯溜部７Ａ近傍の傾斜壁部３２の傾斜面３２１と前記第２のインキ貯溜部７Ｂ近傍の傾斜壁部３２の傾斜面３２１とが同時に視認され、隔壁３の内面の略全領域に傾斜面３２１が視認される。同様に、図２（ｃ）に示すように、第２のインキタンク５Ｂの開口側から隔壁３を見た場合、前記第１のインキ貯溜部７Ａ近傍の傾斜壁部３２の傾斜面３２１と前記第２のインキ貯溜部７Ｂ近傍の傾斜壁部３２の傾斜面３２１とが同時に視認され、隔壁３の内面の略全領域に傾斜面３２１が視認される。
【００２６】
・インキ
前記第１のインキ及び第２のインキは隔壁３を介して径方向に２層の重層状態で視認される。第１のインキ貯溜部７Ａ及び第２のインキ貯溜部７Ｂには、第１のペン先４Ａまたは第２のペン先４Ｂのいずれのペン先を下向きにしても、第１のインキタンク５Ａの小径部５２Ａ及び第２のインキタンク５Ｂの小径部５２Ｂに常時インキが存在するよう、第１のインキ及び第２のインキが充填される。それにより、第１のペン先４Ａまたは第２のペン先４Ｂを下向きにした際、第１のインキと第２のインキとを左右（即ち径方向）に２層の重層状態で視認可能である。前記重層部分を構成する隔壁３の軸線方向の長さＭは、第１のインキ保溜部材６Ａの後端と第２のインキ保溜部材６Ｂの後端との間の軸線方向の長さＬの少なくとも２０％以上（好ましくは５０％以上、更にこの好ましくは７０％以上）に設定され、それにより、インキ充填時のインキの飛び散りを抑え且つ２色の視認が容易となる。本実施例では、前記軸線方向の長さＭは、前記軸線方向の長さＬの８５％に設定されている。
【実施例２】
【００２７】
図３に、本発明の実施例２を示す。本実施例の両頭式筆記具１は、前記実施の形態に記載の構成において、隔壁３が、一端が第１のインキ保溜部材６Ａ近傍の軸筒２側壁に接続され且つ他端が第２のインキ保溜部材６Ｂ近傍の軸筒２側壁に接続される一つの傾斜壁部３２からなることを特徴とする。
【００２８】
・隔壁
前記隔壁３は、略均一肉厚を有する、軸線に対して傾斜した一定の傾斜角度を有する一つの傾斜壁部３２よりなる。前記傾斜壁部３２の両面（即ち、第１のインキ貯溜部７Ａ側の内面及び第２のインキ貯溜部７Ｂ側の内面）には、傾斜面３２１が形成される。前記傾斜壁部３２の傾斜面３２１は、平面または円錐面からなる。前記傾斜壁部３２の傾斜面３２１は、軸線に対して一定の傾斜角度を有する構成であるが、軸線に対して複数の傾斜角度を有する構成でもよい。
【００２９】
・インキタンク
前記第１のインキタンク５Ａは、前方に開口する横断面円形状の大径部５１Ａと、該大径部５１Ａより後方に連設される横断面半円形状の後方に向かうに従い小径化する小径部５２Ａとからなる。前記第１のインキタンク５Ａの大径部５１Ａ内には、第１のインキ保溜部材６Ａが嵌入される。前記第１のインキ保溜部材６Ａの後方の、第１のインキタンク５Ａの大径部５１Ａの後部と第１のインキタンク５Ａの小径部５２Ａとからなる空間には、第１のインキ貯溜部７Ａが形成される。同様に、前記第２のインキタンク５Ｂは、前方に開口する横断面円形状の大径部５１Ｂと、該大径部５１Ｂより後方に連設される横断面半円形状の後方に向かうに従い小径化する小径部５２Ｂとからなる。前記第２のインキタンク５Ｂの大径部５１Ｂ内には、第２のインキ保溜部材６Ｂが嵌入される。前記第２のインキ保溜部材６Ｂの後方の、第２のインキタンク５Ｂの大径部５１Ｂの後部と第２のインキタンク５Ｂの小径部５２Ｂとからなる空間には、第２のインキ貯溜部７Ｂが形成される。
【００３０】
・傾斜面の視認
第１のインキタンク５Ａの開口側から隔壁３を見た場合、隔壁３の内面の略全領域に傾斜面３２１が視認される。同様に、第２のインキタンク５Ｂの開口側から隔壁３を見た場合、隔壁３の内面の略全領域に傾斜面３２１が視認される。
【００３１】
・インキ
前記第１のインキ及び第２のインキは、隔壁３を介して径方向に２層の重層状態で視認される。第１のインキ貯溜部７Ａ及び第２のインキ貯溜部７Ｂには、第１のペン先４Ａまたは第２のペン先４Ｂのいずれのペン先を下向きにしても、第１のインキタンク５Ａの小径部５２Ａ及び第２のインキタンク５Ｂの小径部５２Ｂに常時インキが存在するよう第１のインキ及び第２のインキが充填される。それにより、第１のペン先４Ａまたは第２のペン先４Ｂを下向きにした際、第１のインキと第２のインキとを左右（即ち径方向）に２層の重層状態で視認可能である。前記重層部分を構成する隔壁３の軸線方向の長さＭは、第１のインキ保溜部材６Ａの後端と第２のインキ保溜部材６Ｂの後端との間の軸線方向の長さＬの少なくとも２０％以上（好ましくは５０％以上、更にこの好ましくは７０％以上）に設定され、それにより、インキ充填時のインキの飛び散りを抑え且つ２色の視認が容易となる。本実施例では、前記軸線方向の長さＭは、前記軸線方向の長さＬの８５％に設定されている。
【実施例３】
【００３２】
図４に、本発明の実施例３を示す。本実施例の両頭式筆記具１は、前記実施の形態に記載の構成において、隔壁３が、両端が第１のインキ保溜部材６Ａ近傍の軸筒２側壁に接続され且つ中央部が第２のインキ保溜部材６Ｂ側に突出する傾斜壁部３２からなることを特徴とする。
【００３３】
・隔壁
前記隔壁３は、略均一肉厚を有し、両端部が軸線に対して傾斜した縦断面曲面状の傾斜壁部３２よりなる。前記傾斜壁部３２の両面（即ち、第１のインキ貯溜部７Ａ側の内面及び第２のインキ貯溜部７Ｂ側の内面）には、傾斜面３２１が形成される。前記傾斜壁部３２の傾斜面３２１は、帯状曲面、円錐面または球面からなる。
【００３４】
・インキタンク
前記第１のインキタンク５Ａは、前方に開口する横断面円形状の筒体であり、前記隔壁３により形成された底面が縦断面凹曲面状となっている。前記第１のインキタンク５Ａの開口部には、第１のインキ保溜部材６Ａが嵌入される。前記第１のインキ保溜部材６Ａの後方の第１のインキタンク５Ａ内には、第１のインキ貯溜部７Ａが形成される。一方、前記第２のインキタンク５Ｂは、前方に開口する横断面円形状の筒体であり、前記隔壁３により形成された底面が縦断面凸曲面状となっている。前記第２のインキタンク５Ｂの開口部には、第２のインキ保溜部材６Ｂが嵌入される。前記第２のインキ保溜部材６Ｂの後方の第２のインキタンク５Ｂ内には、第２のインキ貯溜部７Ｂが形成される。
【００３５】
・傾斜面の視認
第１のインキタンク５Ａの開口側から隔壁３を見た場合、隔壁３の内面の略全領域に傾斜面３２１が視認される。同様に、第２のインキタンク５Ｂの開口側から隔壁３を見た場合、隔壁３の内面の略全領域に傾斜面３２１が視認される。
【実施例４】
【００３６】
図５に、本発明の実施例４を示す。本実施例の両頭式筆記具１は、前記実施の形態に記載の構成において、隔壁３は、一端が軸筒２側壁に接続される径方向（即ち軸線に対して垂直方向）に延びる垂直壁部３３と、一端が前記垂直壁部３３の他端と接続され且つ他端が軸筒２側壁に接続される傾斜壁部３２とからなることを特徴とする。
【００３７】
・隔壁
前記隔壁３は、略均一肉厚を有する。前記傾斜壁部３２の両面（即ち、第１のインキ貯溜部７Ａ側の内面及び第２のインキ貯溜部７Ｂ側の内面）には、傾斜面３２１が形成される。前記傾斜壁部３２の傾斜面３２１は、平面または円錐面からなる。
【００３８】
・インキタンク
前記第１のインキタンク５Ａは、前方に開口する横断面円形状の筒体であり、前記隔壁３により形成された底面が傾斜面３２１と垂直面とからなる。前記第１のインキタンク５Ａの開口部には、第１のインキ保溜部材６Ａが嵌入される。前記第１のインキ保溜部材６Ａの後方の第１のインキタンク５Ａ内には、第１のインキ貯溜部７Ａが形成される。一方、前記第２のインキタンク５Ｂは、前方に開口する横断面円形状の筒体であり、前記隔壁３により形成された底面が傾斜面３２１と垂直面とからなる。前記第２のインキタンク５Ｂの開口部には、第２のインキ保溜部材６Ｂが嵌入される。前記第２のインキ保溜部材６Ｂの後方の第２のインキタンク５Ｂ内には、第２のインキ貯溜部７Ｂが形成される。
【００３９】
・傾斜面の視認
第１のインキタンク５Ａの開口側から隔壁３を見た場合、隔壁３の内面の傾斜壁部３２の存在する部分に傾斜面３２１が視認される。同様に、第２のインキタンク５Ｂの開口側から隔壁３を見た場合、隔壁３の内面の傾斜壁部３２の存在する部分に傾斜面３２１が視認される。
【図面の簡単な説明】
【００４０】
【図１】本発明の実施例１の縦断面図である。
【図２】（ａ）が図１のＡ−Ａ線断面図である。（ｂ）が図１のＢ−Ｂ線断面図である。（ｃ）が図１のＣ−Ｃ線断面図である。
【図３】本発明の実施例２の縦断面図である。
【図４】本発明の実施例３の縦断面図である。
【図５】本発明の実施例４の縦断面図である。
【符号の説明】
【００４１】
１  両頭式筆記具
２  軸筒
３  隔壁
３１  中央壁部
３２  傾斜壁部
３２１  傾斜面
３３  垂直壁部
４Ａ  第１のペン先
５Ａ  第１のインキタンク
５１Ａ  大径部
５２Ａ  小径部
６Ａ  第１のインキ保溜部材
６１Ａ  インキ誘導芯
７Ａ  第１のインキ貯溜部
４Ｂ  第２のペン先
５Ｂ  第２のインキタンク
５１Ｂ  大径部
５２Ｂ  小径部
６Ｂ  第２のインキ保溜部材
６１Ｂ  インキ誘導芯
７Ｂ  第２のインキ貯溜部
【図１】
2005178049.tif 000003
【図２】
2005178049.tif 000004
【図３】
2005178049.tif 000005
【図４】
2005178049.tif 000006
【図５】
2005178049.tif 000007